(57)【特許請求の範囲】
【請求項１】
基地局と端末間、若しくは前記端末間同士によりＯＦＤＭ変調方式を用いて無線データを送受信する無線通信装置であって、前記無線データを復調する復調部を備えた無線通信装置において、
前記復調部は、復調処理により得られた無線伝搬特性を示す受信状態パラメータの１つとして伝送路の周波数応答を示すパラメータを、受信フレーム毎に該受信フレームデータに付加して上位レイヤブロックに出力することを特徴とする無線通信装置。
【請求項２】
受信フレームの信号強度を検出する受信強度検出部と表示部とを有し、前記受信強度検出部により得られた受信強度を前記表示部に表示すると共に、前記受信状態パラメータも併せて前記表示部に表示することを特徴とする請求項１に記載の無線通信装置。
【請求項３】
前記復調部は、受信ベクトルと判定ベクトルとの差であるエラーベクトルから変調精度を算出する変調精度算出部を備えることを特徴とする請求項１に記載の無線通信装置。
【請求項４】
前記復調部は前記変調精度算出部により算出された変調精度値を前記受信状態パラメータの１つとして出力し、該出力内容を前記表示部により表示することを特徴とする請求項３に記載の無線通信装置。
【請求項５】
前記受信状態パラメータの変調精度は、受信シンボル毎に算出した変調精度値を、受信フレーム毎にフレーム内の全シンボルで平均したシンボルあたりの変調精度値の平均値とすることを特徴とする請求項３に記載の無線通信装置。
【請求項６】
前記受信状態パラメータの変調精度を受信フレームにおける全シンボルの変調精度値の
累積結果と、前記全シンボルのシンボル総数とを前記上位レイヤブロックに出力することを特徴とする請求項３に記載の無線通信装置。
【請求項７】
前記変調精度の全シンボルの累積値があらかじめ指定した閥値を越える場合、それまでのシンボル数での累積値と前記シンボル数を受信状態パラメータとして前記上位レイヤブロックに出力することを特徴とする請求項６に記載の無線通信装置。
【請求項８】
前記復調部から出力された変調精度のシンボルあたりの変調精度平均値に対して、受信状態をいくつかの状態に定義分けする判定閥値を設け、判定された受信状態を前記表示部により表示することを特徴とする請求項５乃至７の何れか一項に記載の無線通信装置。
【請求項９】
復調方式によって前記判定閾値を変更することを特徴とする請求項８に記載の無線通信装置。
【請求項１０】
Ａｄ−Ｈｏｃモードで通信を行う際、ＭＡＣアドレスにより指定した端末からの無線データを受信した場合に、前記受信状態パラメータを前記表示部に表示することを特徴とする請求項１乃至８の何れか一項に記載の無線通信装置。
【発明の詳細な説明】
【技術分野】
【０００１】
本発明は、無線通信システム及び無線通信装置に関し、さらに詳しくは、受信状態パラメータにより受信状態を表示する技術に関するものである。
【背景技術】
【０００２】
近年、無線ＬＡＮをはじめとする無線通信システムは、端末を自由に移動させることができる利便性から、企業だけでなく一般家庭にまで急速に普及し始めている。しかしながら、無線通信における伝搬特性はさまざまな要因により変化し、有線通信に比べて通信路においてビットエラーが発生しやすい。例えば、フェージングや隣接したチャネル間の電波干渉などが伝搬特性を変化させる要因としてあげられる。そのため無線通信システムにおいて、高スループットの良好な通信を維持するためには、基地局や端末を設置する際に受信状態を把握することが重要となる。特にプリンタ等の設置場所が固定される機器は、モバイル機器のようにその都度アンテナ位置を替えることができないので、設置時に基地局からの電波をより良い状態で受信するように基地局と端末の設置位置を予め決める必要があった。そして上記のような伝搬特性を変化させる要因に対して、従来技術では受信状況を把握するパラメータとして、受信強度やデータの誤り率が利用されてきた。
例えば、特開２００１−１２５６９６公報、特開２００２−１１７４８２公報、特開平９−１０２７６６号公報に開示されている技術では、受信強度をパラメータとして使用している。一般に受信強度とは受信帯域内の信号強度を示し、信号強度が強ければ受信感度が良いとされている。この受信強度を強くするには、通信距離を短くするか、相手局の送信パワーを上げることで実現することができる。
さらに、無線通信では、受信強度が強くてもフェージングの影響や隣接チャネルの干渉波の影響を受けるので、電波環境としては、これらを含めて考慮しなくてはならない。即ち、受信強度が強くても、伝送特性を変化させる主な要因の一つであるフェージングによって帯域内の周波数特性が一様でなくなり、受信エラーの要因となる。また、隣接チャンネルの送信局が近くに設置してある場合、その漏洩電力により帯域内の信号強度が増大する。これらのことから、受信強度が強い場合でも受信状況としてより良い受信環境であるとは必ずしも限らず、受信状態をより正確に把握するためには、受信強度のみでは不十分であることが解る。
以上のような課題を解決するために、特開２００２−２６１６７６公報、特開２００２−３３５５８１公報などでは、データの誤り率や誤り検出符号を受信状態パラメータとして使用している。
【特許文献１】特開２００１−１２５６９６公報
【特許文献２】特開２００２−１１７４８２公報
【特許文献３】特開平９−１０２７６６号公報
【特許文献４】特開２００２−２６１６７６公報
【特許文献５】特開２００２−３３５５８１公報
【発明の開示】
【発明が解決しようとする課題】
【０００３】
しかし、特許文献１〜３に開示されている従来技術では、基地局に対して、そのＢＳＳ内のすべての端末との距離を短く設置することはできないし、また、送信パワーを上げ過ぎると、送信信号が非線形歪の影響を受けるという問題が生じる。
また特許文献４〜５に開示されている従来技術では、これらのデータ誤り率は、規格化されたテスト信号を用いなければならず、テスト信号を規格化していないもの（たとえばＩＥＥＥ８０２．１１など）では、この手法を使うことができない。また、誤り訂正部によるエラービットを使う手法では、受信データに誤りが発生しない環境での受信状態を詳細に把握することができないという欠点があった。
本発明は、かかる課題に鑑み、受信状態を把握するためのパラメータとして、受信強度以外に変調精度（ＥＶＭ）や周波数応答を示すパラメータを使用し、より詳細に受信状態を把握することで、端末のより良い設置場所を提供することを目的とする。
【課題を解決するための手段】
【０００４】
本発明はかかる課題を解決するために、請求項１は、基地局と端末間、若しくは前記端末間同士によりＯＦＤＭ変調方式を用いて無線データを送受信する無線通信装置であって、前記無線データを復調する復調部を備えた無線通信装置において、前記復調部は、復調処理により得られた無線伝搬特性を示す受信状態パラメータの１つとして伝送路の周波数応答を示すパラメータを、受信フレーム毎に該受信フレームデータに付加して上位レイヤブロックに出力することを特徴とする。
本発明の無線通信装置は、物理レイヤブロックとしてＲＦ部、受信信号強度検出部、周波数誤差補正部、復調部などで構成され、上位レイヤブロックとしてＭＡＣ部、表示部などで構成される。従来技術の受信状態パラメータである受信強度は、一般的に受信強度検出部から変復調部を介さずに受信強度値を上位レイヤに出力するためのＩ／Ｆを持っている。またそれ以外に受信状態パラメータを上位レイヤに渡すためには、物理レイヤと上位レイヤとのデータ入出力Ｉ／Ｆ以外にＩ／Ｆを設ける必要がある。
かかる発明によれば、無線通信装置は、物理レイヤブロックとしてＲＦ部、受信信号強度検出部、周波数誤差補正部、ＦＦＴ部、伝送路推定部、復調部などで構成され、上位レイヤブロックとしてＭＡＣ部、表示部などで構成されるので、物理レイヤブロックと上位レイヤブロックに互換性を持たせて、パラメータを上位レイヤに出力することができる。
【０００５】
請求項２は、受信フレームの信号強度を検出する受信強度検出部と表示部とを有し、前記受信強度検出部により得られた受信強度を前記表示部に表示すると共に、前記受信状態パラメータも併せて前記表示部に表示することを特徴とする。
本発明は、上位レイヤで受信状態パラメータをディスプレイ等の表示部に表示し、端末を設置しているユーザーに受信状況を知らせることを特徴としている。これにより現在の受信状況をユーザーに把握させることが可能となる。このとき、表示するのは従来の受信強度とそれ以外の受信状況パラメータを共に表示することで、ユーザーは受信強度では把握できない詳細な受信状態を把握することが可能となる。
かかる発明によれば、受信強度検出部により得られた受信強度を表示部に表示すると共に、受信状態パラメータも併せて表示部に表示するので、ユーザーは受信強度では把握できない詳細な受信状態を把握することができる。
請求項３は、前記復調部は、受信ベクトルと判定ベクトルとの差であるエラーベクトルから変調精度を算出する変調精度算出部を備えることを特徴とする。
本発明は受信信号から変調精度値を算出するための変調精度算出部を設けることを特徴としている。一般に変調精度算出は受信（復調）処理には必要ないため、本発明のように別途変調精度算出部を設ける。
かかる発明によれば、復調部は、受信ベクトルと判定ベクトルとの差であるエラーベクトルから変調精度を算出する変調精度算出部を備えるので、受信（復調）処理においても変調精度を算出することができる。
【０００６】
請求項４は、前記復調部は前記変調精度算出部により算出された変調精度値を前記受信状態パラメータの１つとして出力し、該出力内容を前記表示部により表示することを特徴とする。
本発明は請求項３の発明において算出される変調精度値を受信状態パラメータとして出力することを特徴とする。変調精度は復調状態をより詳細に表す指標であり、これをパラメータして使用することで、より的確に受信状態を把握することができる。
かかる発明によれば、復調部は変調精度算出部により算出された変調精度値を受信状態パラメータの１つとして出力し、この出力内容を表示部により表示するので、より的確に受信状態を把握することができる。
請求項５は、前記受信状態パラメータの変調精度は、受信シンボル毎に算出した変調精度値を、受信フレーム毎にフレーム内の全シンボルで平均したシンボルあたりの変調精度値の平均値とすることを特徴とする。
本発明は出力する変調精度値をフレーム毎の全シンボルでの平均値として出力することを特徴としている。変復調方式がＯＦＤＭのようなマルチキャリア変調方式の場合、さらに各サブキャリアの変調精度値の平均値を出力する。
かかる発明によれば、受信状態パラメータの変調精度は、受信シンボル毎に算出した変調精度値を、受信フレーム毎にフレーム内の全シンボルで平均したシンボルあたりの変調精度値の平均値とするので、変復調方式がＯＦＤＭのようなマルチキャリア変調方式の場合、さらに各サブキャリアの変調精度値の平均値を出力することができる。
【０００７】
請求項６は、前記受信状態パラメータの変調精度を受信フレームにおける全シンボルの変調精度値の累積結果と、前記全シンボルのシンボル総数とを前記上位レイヤブロックに出力することを特徴とする。
本発明は平均化処理をするには全シンボル数での除算処理をする必要があるため、全シンボルの変調精度値の累積結果とシンボル総数を上位レイヤに出力することを特徴とし、これにより物理レイヤでのハード規模を小さくする効果がある。
かかる発明によれば、受信状態パラメータの変調精度を受信フレームにおける全シンボルの変調精度値の累積結果と、全シンボルのシンボル総数とをＭＡＣ部に出力するので、物理レイヤでのハード規模を小さくすることができる。
請求項７は、前記変調精度の全シンボルの累積値があらかじめ指定した閥値を越える場合、それまでのシンボル数での累積値と前記シンボル数を受信状態パラメータとして前記上位レイヤブロックに出力することを特徴とする。
変調精度値の累積を行う場合、フレーム長が長いとフレーム内のシンボル数が大きくなり、変調精度の累積結果の期待値範囲を大きく取る必要が生じ、上位レイヤに出力する受信状態パラメータのデータ数が多くなる。変調精度累積結果格納バッファを小さくし、格納可能な範囲を閥値とすることで、格納されたシンボル数の平均を上位レイヤで算出できるようにすることができる。
かかる発明によれば、変調精度の全シンボルの累積値があらかじめ指定した閥値を越える場合、それまでのシンボル数での累積値とシンボル数を受信状態パラメータとしてＭＡＣ部に出力するので、格納されたシンボル数の平均を上位レイヤで算出できるようにすることができる。
【０００８】
請求項８は、前記復調部から出力された変調精度のシンボルあたりの変調精度平均値に対して、受信状態をいくつかの状態に定義分けする判定閥値を設け、判定された受信状態を前記表示部により表示することを特徴とする。
上記の発明で使用した変調精度値を表示部において表示する方法として、変調精度値をそのまま表示しても、一般ユーザーはその値の意味する内容を把握することができない。そこで、いくつかの状態に定義分けする判定閥値を設け、表示部では判定閥値毎に使用者にわかりやすい形で表現する。
かかる発明によれば、復調部から出力された変調精度のシンボルあたりの変調精度平均値に対して、受信状態をいくつかの状態に定義分けする判定閥値を設け、判定された受信状態を表示部により表示するので、判定閥値毎に使用者にわかりやすい形で表現することができる。
請求項９は、復調方式によって前記判定閾値を変更することを特徴とする。
この変調精度値はＢＰＳＫや６４ＱＡＭのように、変復調方式によってエラーの発生状況が異なる。そのため、変調精度値の判定閥値を変復調方式によって変更する必要がある。
かかる発明によれば、複調方式によって判定閾値を変更するので、変復調方式によるエラーの発生状況を的確に表現することができる。
【０００９】
請求項１０は、Ａｄ−Ｈｏｃモードで通信を行う際、ＭＡＣアドレスにより指定した端末からの無線データを受信した場合に、前記受信状態パラメータを前記表示部に表示することを特徴とする。
Ａｄ−Ｈｏｃモード通信で通信相手が複数存在する場合に、各端末毎に受信状態を把握するため、指定した端末からの受信状態パラメータのみ表示するようにすることを目的とする。
かかる発明によれば、Ａｄ−Ｈｏｃモードで通信を行う際、ＭＡＣアドレスにより指定した端末からの無線データを受信した場合に、受信状態パラメータを表示部に表示するので、各端末毎に受信状態を把握することができる。
【発明の効果】
【００１０】
請求項１の発明によれば、無線通信装置は、物理レイヤブロックとしてＲＦ部、受信信号強度検出部、周波数誤差補正部、ＦＦＴ部、伝送路推定部、復調部などで構成され、上位レイヤブロックとしてＭＡＣ部、表示部などで構成されるので、物理レイヤブロックと上位レイヤブロックに互換性を持たせて、パラメータを上位レイヤに出力することができる。
また請求項２では、受信強度検出部により得られた受信強度を表示部に表示すると共に、受信状態パラメータも併せて表示部に表示するので、ユーザーは受信強度では把握できない詳細な受信状態を把握することができる。
また請求項３では、復調部は、受信ベクトルと判定ベクトルとの差であるエラーベクトルから変調精度を算出する変調精度算出部を備えるので、受信（復調）処理においても変調精度を算出することができる。
また請求項４では、復調部は変調精度算出部により算出された変調精度値を受信状態パラメータの１つとして出力し、この出力内容を表示部により表示するので、より的確に受信状態を把握することができる。
また請求項５では、受信状態パラメータの変調精度は、受信シンボル毎に算出した変調精度値を、受信フレーム毎にフレーム内の全シンボルで平均したシンボルあたりの変調精度値の平均値とするので、変復調方式がＯＦＤＭのようなマルチキャリア変調方式の場合、さらに各サブキャリアの変調精度値の平均値を出力することができる。
【００１１】
また請求項６では、受信状態パラメータの変調精度を受信フレームにおける全シンボルの変調精度値の累積結果と、全シンボルのシンボル総数とをＭＡＣ部に出力するので、物理レイヤでのハード規模を小さくすることができる。
また請求項７では、変調精度の全シンボルの累積値があらかじめ指定した閥値を越える場合、それまでのシンボル数での累積値とシンボル数を受信状態パラメータとしてＭＡＣ部に出力するので、格納されたシンボル数の平均を上位レイヤで算出できるようにすることができる。
また請求項８では、復調部から出力された変調精度のシンボルあたりの変調精度平均値に対して、受信状態をいくつかの状態に定義分けする判定閥値を設け、判定された受信状態を表示部により表示するので、判定閥値毎に使用者にわかりやすい形で表現することができる。
また請求項９では、複調方式によって判定閾値を変更するので、変復調方式によるエラーの発生状況を的確に表現することができる。
また請求項１０では、Ａｄ−Ｈｏｃモードで通信を行う際、ＭＡＣアドレスにより指定した端末からの無線データを受信した場合に、受信状態パラメータを表示部に表示するので、各端末毎に受信状態を把握することができる。
【発明を実施するための最良の形態】
【００１２】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
以下に本発明をＩＥＥＥ８０２．１１ａをプリンタ装置上で実現した場合の実施例について示す。
図１は本発明の実施形態に係るＩＥＥＥ８０２．１１ａの受信機の一例を示すブロック図である。この受信機１００は、無線信号を受信するＲＦ部３と、このＲＦ部３により受信した無線データの受信強度を算出する受信信号強度検出部４と、キャリア周波数誤差の検出及び補正を行う周波数誤差補正部５と、この周波数誤差補正部５により補正された周波数誤差を周波数変換するＦＦＴ(Fast Fourier Transform)部６と、各サブキャリア信号の位相と振幅の伝送路歪みの推定と除去を行う伝送路推定部７と、受信した無線データを復調する復調部８と、構内ケーブルを複数ノードが共同利用するためのアクセス制御を行うＭＡＣ部１１と、ディスプレイ上に表示内容を表示する表示部１２とを備えて構成される。尚、物理レイヤブロック１はＲＦ部３、受信信号強度検出部４、周波数誤差補正部５、ＦＦＴ部６、伝送路推定部７、及び復調部８などで構成され、上位レイヤブロック２はＭＡＣ部１１、表示部１２などで構成される。
次に図１に示す受信機１００に概略動作について説明する。ＲＦ部３で受信した無線信号は周波数誤差補正部５により周波数や位相などを補正した後、復調部８で受信データに復調される。この復調処理を行う時に、無線伝搬特性を示す受信状態パラメータを計算する。そして無線信号より復調された各フレームの受信データの最後に受信状態パラメータを付加し、上位レイヤであるＭＡＣ部１１に渡される。
従来技術の受信状態パラメータである受信強度は、一般的に受信強度検出部４から変復調部を介さずに受信強度値を上位レイヤ２に出力するためのＩ／Ｆ９を持っている。またそれ以外に受信状態パラメータを上位レイヤ２に渡すためには、物理レイヤ１と上位レイヤ２とのデータ入出力Ｉ／Ｆ１０以外にＩ／Ｆを設ける必要がある。
【００１３】
図２は復調部８よりＭＡＣ部１１へ送られる１フレーム分のパケットデータを示す図である。無線信号より復調された１フレーム１５の受信データ１６の最後に受信状態パラメータ１７を付加し、上位レイヤ２であるＭＡＣ部１１に渡される。図２のように受信状態パラメータ１７をフレーム毎に出力し、受信データ１６の後に出力することで、同じデータ入出力Ｉ／Ｆ１０を使うことができるので、新規にＩ／Ｆを設ける必要がない。また、このようにすることで受信データ１６と受信状態パラメータ１７の同期を取ることが可能となる。
ただし、規定のパケットデータの出力フォーマットに影響を与えないように受信状態パラメータ１７を出力する必要がある。たとえば、一般的なＩ／Ｆの構成としてデータバス、Ｅｎａｂｌｅ信号、出力タイミング信号で構成する場合、Ｅｎａｂｌｅ信号をｄｉｓａｂｌｅ状態にした後、出力タイミング信号のみでデータを出力するような方法で行うことができる。
このように、ＲＦ部３で受信した無線信号は、受信信号強度検出部４において受信信号強度を算出し、受信信号強度Ｉ／Ｆ９を介してＭＡＣ部１１へ渡され、プリンタ上の表示部１２に表示される。また、周波数誤差補正部５でキャリア周波数誤差を検出および補正し、周波数誤差をＦＦＴ部６で周波数変換され、伝送路推定部７で各サブキャリア信号の位相と振幅の伝送路歪みの推定と除去を行い、復調部８で受信データに復調される。この復調処理により得られた受信状態パラメータ１７は受信データ１６とともにＭＡＣ部１１へ渡され、プリンタ上の表示部１２に表示される。
これにより、上位レイヤ２で受信状態パラメータ１７をディスプレイ等の表示部１２に表示し、端末を設置しているユーザーに受信状況を知らせる事を特徴としており、現在の受信状況をユーザーに把握させることが可能となる。このとき、表示するのは従来の受信強度とそれ以外の受信状況パラメータを共に表示する事で、ユーザーは受信強度では把握できない詳細な受信状態を把握することが可能となる。
図３は図１の復調部８の内部構造を示すブロック図である。同じ構成要素には同じ参照番号を付して説明する。この復調部８は各サブキャリア復調を行った後にＩチャネル、Ｑチャネルごとに信号成分の判定を行うデマップ２０と、ビット入れ替えされた受信データの並びを元に戻すデインターリーブ２１と、畳み込み符号化されたビット列を元に戻すデパンクチャ２２と、ビダビ・アルゴリズムを用いて誤り訂正符号を行うビタビ複合２３と、スクランブルした受信データを復元するデスクランブラ２４と、受信信号からＥＶＭ値を算出するＥＶＭ(Error Vector Magnitude)算出部２５（変調精度算出部）と、を備えて構成される。
【００１４】
図４は極座標を示す図である。エラーベクトル３１は、理想シンボル（Ｒ）３２と測定シンボル（Ｚ）３０とのベクトル差であり、振幅成分と位相成分を含む複素量である。つまりエラーベクトル３１は、理想シンボル３２を取ったあとに残る残留ノイズと歪みであるとも言える。ＥＶＭは、シンボル・クロック遷移の瞬間における、時間に対するエラーベクトルの実効（ｒｍｓ）値である。規格によりＥＶＭは、通常平均シンボル電力（Ｐ）３３の平方根に対して正規化され、パーセンテージとして表現される。ただし、平均シンボル電力（Ｐ）３３は定数のため、物理レイヤではなくＭＡＣ部１１や表示部１２といった上位レイヤ２で処理してもかまわない。式（１）に１シンボルあたりの全サブキャリアにおけるＥＶＭ平均値の算出式を示す。
0004716667.tif 000002
・・・・式（１）
上述のように算出されたＥＶＭはＭＡＣ部１１、表示部１２と送られ、プリンタ上のディスプレイに表示される。
本実施形態は受信信号からＥＶＭ値を算出するためのＥＶＭ算出部２５を設けることを特徴としている。一般にＥＶＭ算出は受信（復調）処理には必要ないため、本実施形態のように別途ＥＶＭ算出部２５を設ける。
またＩＥＥＥ８０２．１１ａ規格では、パケットごとに２つのロングプリアンブル信号が送信される。このロングプリアンブル信号より、図１における伝送路推定７による伝送路推定処理の過程で周波数応答が得られることは広く知られている。そこで、この周波数応答を受信状態を示すパラメータとして使用する。前述のように、周波数応答を示す値としては、周波数応答関数そのものでも良いし、たとえば、マルチキャリアの場合、各サブキャリアの周波数利得の平均値に対する振れ幅、もしくは最大振幅と最小振幅値との差としても構わない。本実施形態は周波数応答を示すパラメ−タを受信状態パラメータに使用する事を特徴としている。これはフェージング影響下では、受信帯域内の周波数特性が一様でなくなるため、たとえば、ＯＦＤＭ(Orthogonal Frequency Division Multiplex)のようなマルチキャリア変調方式の場合、各サブチャネルによって受信強度が一定しない。そこで、周波数応答を示すパラメ−タを使用することで、各サブチャネルごとの受信強度のバラツキを観測し、受信状態を詳細に把握することができる。
また周波数応答を示す値としては、周波数応答関数そのものでも良いし、たとえば、マルチキャリアの場合、各サブキャリアの周波数利得の平均値に対する振れ幅、もしくは最大振幅と最小振幅値との差としても構わない。
【００１５】
次に１フレーム内の全シンボル数をＮとすると、受信状態パラメータ１７は式（２）のＥＶＭaように表される。
0004716667.tif 000003
・・式（２）
これは出力するＥＶＭ値をフレーム毎の全シンボルでの平均値として出力する事を特徴としている。変復調方式がＯＦＤＭのようなマルチキャリア変調方式の場合、さらに各サブキャリアのＥＶＭ値の平均値を出力する。
また１フレーム内の全シンボル数をＮとすると、受信状態パラメータはＮと式（３）のＥＶＭbのように表される。
0004716667.tif 000004
・・・式（３）
式（２）のように平均化処理をするには全シンボル数での除算処理をする必要があるため、全シンボルのＥＶＭ値の累積結果とシンボル総数を上位レイヤに出力することを特徴とし、物理レイヤでのハード規模を小さくする効果がある。
次に式（３）において、ＥＶＭの累積値バッファを３２ビット幅とすると、累積閥値は１６進表示で０ｘＦＦＦＦＦＦＦＦとなる。この閥値を超える直前のシンボルまでのＥＶＭ値の累積結果とシンボル数を受信状態パラメータとして使用する。これはＥＶＭ値の累積を行う場合、フレーム長が長いとフレーム内のシンボル数が大きくなり、ＥＶＭの累積結果の期待値範囲を大きく取る必要が生じ、上位レイヤに出力する受信状態パラメータのデータ数が多くなる。ＥＶＭ累積結果格納バッファを小さくし、格納可能な範囲を閥値とする事で、格納されたシンボル数の平均を上位レイヤで算出できるようにする事を目的とする。
【００１６】
図５は復調方式がＢＰＳＫ(Binary Phase Shift Keying)のときのＥＶＭとＳ／Ｎとの関係を表した図である。横軸はＳ／Ｎを表し、縦軸はＥＶＭ値を表している。この図から解るとおり、Ｓ／Ｎは高く良好な受信状態になるとＥＶＭ値が低くなっていく。図５の左側の部分は判定基準の定義分けであり、ここでは、ＥＶＭに判定基準を設け次のように５段階に定義分けをおこなった。「１」は受信データに誤りが多発し、無線通信が不可能な状態（ＥＶＭ値６０％以上）。「２」は受信データに誤りが発生しているため、通信に時間がかかるが、通信可能な状態（ＥＶＭ値５０％の範囲内）。「３」、「４」、「５」では受信データに誤りは発生していないが、定義分けの値が大きいほど、受信データに誤りが発生するＥＶＭ値のポイントから遠ざかり通信が安定している状態である（ＥＶＭ値４０％以下の範囲内）。
上記で使用したＥＶＭ値を表示部１２において表示する方法として、ＥＶＭ値をそのまま表示しても一般ユーザーはその値の意味する内容を把握することができない。そこで、いくつかの状態に定義分けする判定閥値を設け、表示部１２では判定閥値毎に使用者にわかりやすい形で表現することを目的とする。
たとえば、“非常によい”、“よい”、“悪い”、“受信不可能”などのような表示方法を用いるとわかりやすい。
【００１７】
図６は復調方式が１６ＱＡＭのときのＥＶＭとＳ／Ｎとの関係を表した図である。横軸はＳ／Ｎを表し、縦軸はＥＶＭ値を表している。この図から解るとおり、図５と比較すると定義分けをおこなっているＥＶＭの判定閾値が異なる。このように復調方式によって判定閾値は異なるため、各復調方式によって判定閾値を変更する。また、このＥＶＭ値はＢＰＳＫや６４ＱＡＭのように変復調方式によってエラーの発生状況が異なる。そのため、ＥＶＭ値の判定閥値を変復調方式によって変更する必要がある。
またＭＡＣアドレスにより指定した端末を判別し、それら以外からの無線データを受信した時に算出される受信状態パラメータは表示しない。これはＡｄ−Ｈｏｃモード通信で通信相手が複数存在する場合に、各端末毎に受信状態を把握するため、指定した端末からの受信状態パラメータのみ表示するようにする事を目的とする。
またプリンタを設置する時に受信パラメータを表示させ、設置者はプリンタもしくはアクセスポイントの設置場所を変更することで、電波をよりよい状態で受信するように設置することができる。これは上記実施形態による受信装置を有したシステムに拡張する事を目的とし、特に設置場所が固定されるプリンタなどのオフィス機器やディジタルＴＶなどのＡＶ機器も対象とする。
【図面の簡単な説明】
【００１８】
【図１】本発明の実施形態に係るＩＥＥＥ８０２．１１ａの受信機の一例を示すブロック図である。
【図２】復調部８よりＭＡＣ部１１へ送られる１フレーム分のパケットデータを示す図である。
【図３】図１の復調部８の内部構造を示すブロック図である。
【図４】極座標を示す図である。
【図５】復調方式がＢＰＳＫのときのＥＶＭとＳ／Ｎとの関係を表した図である。
【図６】復調方式が１６ＱＡＭのときのＥＶＭとＳ／Ｎとの関係を表した図である。
【符号の説明】
【００１９】
１  物理レイアブロック、２  上位レイアブロック、３  ＲＦ部、４  受信信号強度検出部、５  周波数誤差補正部、６  ＦＦＴ部、７  伝送路推定部、８  復調部、１１  ＭＡＣ部、１２  表示部
【図１】
0004716667.tif 000005
【図２】
0004716667.tif 000006
【図３】
0004716667.tif 000007
【図４】
0004716667.tif 000008
【図５】
0004716667.tif 000009
【図６】
0004716667.tif 000010